(57)【特許請求の範囲】
【請求項１】
無線アクセスネットワークに対して、共通制御チャネルを用いて、ＣＥＬＬ  ＵＰＤＡＴＥメッセージを送信するように構成されている送信部と、
前記無線アクセスネットワークから報知情報を受信するように構成されている受信部と、
前記報知情報に基づき、前記無線アクセスネットワークが共通制御チャネル用追加転送フォーマットに対応しているか否かを判定するように構成されている判定部とを具備しており、
前記判定部は、前記報知情報に、前記共通制御チャネル用追加転送フォーマットに対応していることを示す情報要素が含まれている場合、前記無線アクセスネットワークが前記共通制御チャネル用追加転送フォーマットに対応していると判定し、
前記送信部は、前記判定部により、前記無線アクセスネットワークが前記共通制御チャネル用追加転送フォーマットに対応していると判定された場合、前記ＣＥＬＬ  ＵＰＤＡＴＥメッセージの送信フォーマットに規定されている情報要素のうちの所定の情報要素を含む前記ＣＥＬＬ  ＵＰＤＡＴＥメッセージを送信し、前記無線アクセスネットワークが前記共通制御チャネル用追加転送フォーマットに対応していないと判定された場合、前記所定の情報要素を含まない前記ＣＥＬＬ  ＵＰＤＡＴＥメッセージを送信するように構成されていることを特徴とする移動局。
【請求項２】
前記所定の情報要素は、「Ｓｕｐｐｏｒｔ  ｆｏｒ  Ｔｗｏ  ＤＲＸ  ｓｃｈｅｍｅｉｎ  ＵＲＡ_ＰＣＨ」であることを特徴とする請求項１に記載の移動局。
【請求項３】
前記判定部は、前記無線アクセスネットワークが対応しているリリース或いは事業者情報に基づいて、前記無線アクセスネットワークが共通制御チャネル用追加転送フォーマットに対応しているか否かを判定、するように構成されていることを特徴とする請求項１又は２に記載の移動局。
【発明の詳細な説明】
【技術分野】
【０００１】
本発明は、移動局に関する。
【背景技術】
【０００２】
従来、Ｒｅｌｅａｓｅ.６のＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）方式では、移動局ＵＥは、「ＣＥＬＬ  ＵＰＤＡＴＥ手順」において、無線アクセスネットワークに対して、「ＣＥＬＬ  ＵＰＤＡＴＥメッセージ」を送信するように構成されている。
【０００３】
従来のＲｅｌｅａｓｅ.６のＵＴＲＡＮ方式では、無線アクセスネットワークにおいて、移動局ＵＥによって「ＣＥＬＬ  ＵＰＤＡＴＥメッセージ」で送信可能な最大データ量は、２０バイトと規定されている。
【０００４】
ここで、従来のＲｅｌｅａｓｅ.６のＵＴＲＡＮ方式では、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」という機能が規定されており、かかる機能に対応している無線アクセスネットワークでは、かかる機能に対応している移動局ＵＥは、２０バイト以上のデータ量の情報要素を含む「ＣＥＬＬ  ＵＰＤＡＴＥメッセージ」を生成し送信することができるように構成されている。
【先行技術文献】
【非特許文献】
【０００５】
【非特許文献１】３ＧＰＰ  ＴＳ２５.３３１
【発明の概要】
【発明が解決しようとする課題】
【０００６】
しかしながら、従来のＲｅｌｅａｓｅ.６のＵＴＲＡＮ方式では、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している移動局ＵＥは、２０バイト以上のデータ量の情報要素を含む「ＣＥＬＬ  ＵＰＤＡＴＥメッセージ」を生成するように構成されているため、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない無線アクセスネットワークにおいて、かかる「ＣＥＬＬ  ＵＰＤＡＴＥメッセージ」を送信することができないという問題点があった。
【０００７】
そこで、本発明は、上述の課題に鑑みてなされたものであり、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しており、かつ、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない無線アクセスネットワークにおいて、「ＣＥＬＬ  ＵＰＤＡＴＥメッセージ」を送信することができるように構成されている移動局を提供することを目的とする。
【課題を解決するための手段】
【０００８】
本発明の第１の特徴は、移動局であって、無線アクセスネットワークに対して、共通制御チャネルを用いて、ＣＥＬＬ  ＵＰＤＡＴＥメッセージを送信するように構成されている送信部と、前記無線アクセスネットワークから報知情報を受信するように構成されている受信部と、前記報知情報に基づき、前記無線アクセスネットワークが共通制御チャネル用追加転送フォーマットに対応しているか否かを判定するように構成されている判定部とを具備しており、前記判定部は、前記報知情報に、前記共通制御チャネル用追加転送フォーマットに対応していることを示す情報要素が含まれている場合、前記無線アクセスネットワークが前記共通制御チャネル用追加転送フォーマットに対応していると判定し、前記送信部は、前記判定部により、前記無線アクセスネットワークが前記共通制御チャネル用追加転送フォーマットに対応していると判定された場合、前記ＣＥＬＬ  ＵＰＤＡＴＥメッセージの送信フォーマットに規定されている情報要素のうちの所定の情報要素を含む前記ＣＥＬＬ  ＵＰＤＡＴＥメッセージを送信し、前記無線アクセスネットワークが前記共通制御チャネル用追加転送フォーマットに対応していないと判定された場合、前記所定の情報要素を含まない前記ＣＥＬＬ  ＵＰＤＡＴＥメッセージを送信するように構成されていることを要旨とする。
【発明の効果】
【０００９】
以上説明したように、本発明によれば、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しており、かつ、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない無線アクセスネットワークにおいて、「ＣＥＬＬ  ＵＰＤＡＴＥメッセージ」を送信することができるように構成されている移動局を提供することができる。
【図面の簡単な説明】
【００１０】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】本発明の第１の実施形態に係る移動局の動作を示すフローチャートである。
【発明を実施するための形態】
【００１１】
（本発明の第１の実施形態に係る移動通信システム）
図１乃至図４を参照して、本発明の第１の実施形態に係る移動通信システムについて説明する。
【００１２】
本実施形態では、ＵＴＲＡＮ方式の移動通信システムを例に挙げて説明するが、本発明は、かかる移動通信システムに限定されず、他の方式の移動通信システムにも適用可能である。
【００１３】
図１に示すように、本実施形態に係る移動通信システムは、無線アクセスネットワーク内に、無線回線制御局ＲＮＣ（Ｒａｄｉｏ  Ｎｅｔｗｏｒｋ  Ｃｏｎｔｒｏｌｌｅｒ）と、無線基地局ＮｏｄｅＢとを具備している。
【００１４】
ここで、本実施形態に係る移動局ＵＥは、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているものとする。
【００１５】
図２に示すように、移動局ＵＥは、受信部１１と、判定部１２と、送信部１３とを具備している。
【００１６】
受信部１１は、無線アクセスネットワークから、個別信号や報知情報を受信するように構成されている。
【００１７】
判定部１２は、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているか否かについて判定するように構成されている。
【００１８】
例えば、判定部１２は、受信部１１によって受信された報知情報に、情報要素「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」が含まれている場合、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していると判定するように構成されていてもよい。
【００１９】
或いは、判定部１２は、受信部１１によって受信された個別信号に、情報要素「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」が含まれている場合、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していると判定するように構成されていてもよい。
【００２０】
或いは、判定部１２は、無線アクセスネットワークが対応しているリリースに基づいて、かかる無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているか否かについて判定するように構成されていてもよい。
【００２１】
例えば、判定部１２は、無線アクセスネットワークが対応しているリリースが、「Ｒｅｌｅａｓｅ.６」以前のリリースであれば、かかる無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していないと判定するように構成されていてもよい。
【００２２】
或いは、判定部１２は、ＰＬＭＮ（Ｐｕｂｌｉｃ  Ｌａｎｄ  Ｍｏｂｉｌｅ  Ｎｅｔｑｏｒｋ、事業者情報）に基づいて、かかる無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているか否かについて判定するように構成されていてもよい。
【００２３】
送信部１３は、無線アクセスネットワークに対して、各種メッセージを送信するように構成されている。
【００２４】
例えば、送信部１３は、「ＣＥＬＬ  ＵＰＤＡＴＥ手順」において、ＣＣＣＨ（Ｃｏｍｍｏｎ  Ｃｏｎｔｒｏｌ  Ｃｈａｎｎｅｌ、共通制御チャネル）を用いて、無線アクセスネットワークに対して、「ＣＥＬＬ  ＵＰＤＡＴＥメッセージ」を送信するように構成されている。
【００２５】
ここで、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、所定メッセージ（例えば、「ＣＥＬＬ  ＵＰＤＡＴＥメッセージ」や「ＲＲＣ  ＣＯＮＮＥＣＴＩＯＮ  ＲＥＱＵＥＳＴ」等 ）に所定の情報要素を含めて送信するように構成されていてもよい。
【００２６】
以下、所定メッセージとして「ＣＥＬＬ  ＵＰＤＡＴＥメッセージ」が用いられるケースについて説明する。
【００２７】
かかる所定の情報要素は、既存の送信フォーマット（ＴＦ:  Ｔｒａｎｐｓｏｒｔ  Ｆｏｒｍａｔ）、すなわち、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない移動局ＵＥによって送信される「ＣＥＬＬ  ＵＰＤＡＴＥメッセージ」の送信フォーマットに規定されておらず、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している移動局ＵＥによって送信される「ＣＥＬＬ  ＵＰＤＡＴＥメッセージ」の送信フォーマットに規定されている情報要素である。
【００２８】
例えば、かかる所定の情報要素としては、「ＨＳ-ＰＤＳＣＨ（Ｈｉｇｈ  Ｓｐｅｅｄ-Ｐｈｙｓｉｃａｌ  Ｄｏｗｎｌｉｎｋ  Ｓｈａｒｅｄ  Ｃｈａｎｎｅｌ）  ｉｎ  ＣＥＬＬ_ＦＡＣＨ（Ｆｏｒｗａｒｄ  Ａｃｃｅｓｓ  Ｃｈａｎｎｅｌ）」や「Ｓｕｐｐｏｒｔ  ｏｆ  ｃｏｍｍｏｎ  Ｅ-ＤＣＨ（Ｅｎｈａｎｃｅｄ-Ｄｅｄｉｃａｔｅｄ  Ｃｈａｎｎｅｌ）」や「Ｓｕｐｐｏｒｔ  ｆｏｒ  Ｔｗｏ  ＤＲＸ（Ｄｉｓｃｏｎｔｉｎｕｏｕｓ  Ｒｅｃｅｐｔｉｏｎ）  ｓｃｈｅｍｅ  ｉｎ  ＵＲＡ_ＰＣＨ（Ｐａｇｉｎｇ  Ｃｈａｎｎｅｌ）  ａｎｄ  ＣＥＬＬ_ＰＣＨ」や「Ｓｕｐｐｏｒｔ  ｆｏｒ  ＭＡＣ（Ｍｅｄｉａ  Ａｃｃｅｓｓ  Ｃｏｎｔｒｏｌ）-ｉ/ｉｓ」や「Ｓｕｐｐｏｒｔ  ｏｆ  ＨＳ-ＤＳＣＨ（Ｈｉｇｈ  Ｓｐｅｅｄ-Ｄｏｗｎｌｉｎｋ  Ｓｈａｒｅｄ  Ｃｈａｎｎｅｌ）  ＤＲＸ  ｏｐｅｒａｔｉｏｎ」や「Ｓｕｐｐｏｒｔ  ｏｆ  ＳＰＳ（Ｓｅｍｉ-Ｐｅｒｓｉｓｔｅｎｔ  Ｓｃｈｅｄｕｌｉｎｇ）  ｏｐｅｒａｔｉｏｎ」や「Ｓｕｐｐｏｒｔ  ｏｆ  ｃｏｎｔｒｏｌ  ｃｈａｎｎｅｌ  ＤＲＸ  ｏｐｅｒａｔｉｏｎ」等が想定される。
【００２９】
より具体的には、移動局ＵＥが、所定能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、かかる所定能力を具備していることを示す所定の情報要素を「ＣＥＬＬ  ＵＰＤＡＴＥメッセージ」に含めて送信するように構成されていてもよい。
【００３０】
例えば、移動局ＵＥが、所定能力として、ＣＥＬＬ_ＦＡＣＨ状態におけるＨＳ-ＰＤＳＣＨ受信をサポートする能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、情報要素「ＨＳ-ＰＤＳＣＨ  ｉｎ  ＣＥＬＬ_ＦＡＣＨ」を「ＣＥＬＬ  ＵＰＤＡＴＥメッセージ」に含めて送信するように構成されていてもよい。
【００３１】
また、移動局ＵＥが、所定能力として、ＣＥＬＬ_ＦＡＣＨ状態におけるＥＵＬ（Ｅｎｈａｎｃｅｄ  Ｕｐｌｉｎｋ）をサポートする能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、情報要素「Ｓｕｐｐｏｒｔ  ｏｆ  ｃｏｍｍｏｎ  Ｅ-ＤＣＨ」を「ＣＥＬＬ  ＵＰＤＡＴＥメッセージ」に含めて送信するように構成されていてもよい。
【００３２】
また、移動局ＵＥが、所定能力として、ＵＲＡ_ＰＣＨ状態及びＣＥＬＬ_ＦＡＣＨ状態における「Ｔｗｏ  ＤＲＸ」をサポートする能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、情報要素「Ｓｕｐｐｏｒｔ  ｆｏｒ  Ｔｗｏ  ＤＲＸ  ｓｃｈｅｍｅ  ｉｎ  ＵＲＡ_ＰＣＨ  ａｎｄ  ＣＥＬＬ_ＰＣＨ」を「ＣＥＬＬ  ＵＰＤＡＴＥメッセージ」に含めて送信するように構成されていてもよい。
【００３３】
また、移動局ＵＥが、所定能力として、ＭＡＣ-ｉ/ｉｓをサポートする能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、情報要素「Ｓｕｐｐｏｒｔ  ｆｏｒ  ＭＡＣ-ｉ/ｉｓ」を「ＣＥＬＬ  ＵＰＤＡＴＥメッセージ」に含めて送信するように構成されていてもよい。
【００３４】
また、移動局ＵＥが、所定能力として、ＣＥＬＬ_ＦＡＣＨ状態におけるＨＳ-ＤＳＣＨのＤＲＸ動作をサポートする能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、情報要素「Ｓｕｐｐｏｒｔ  ｏｆ  ＨＳ-ＤＳＣＨ  ＤＲＸ  ｏｐｅｒａｔｉｏｎ」を「ＣＥＬＬ  ＵＰＤＡＴＥメッセージ」に含めて送信するように構成されていてもよい。
【００３５】
また、移動局ＵＥが、所定能力として、ＳＰＳ動作をサポートする能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、情報要素「Ｓｕｐｐｏｒｔ  ｏｆ  ＳＰＳ  ｏｐｅｒａｔｉｏｎ」を「ＣＥＬＬ  ＵＰＤＡＴＥメッセージ」に含めて送信するように構成されていてもよい。
【００３６】
また、移動局ＵＥが、所定能力として、ＣＥＬＬ_ＦＡＣＨ状態における制御チャネルのＤＲＸ動作をサポートする能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、情報要素「Ｓｕｐｐｏｒｔ  ｏｆ  ｃｏｎｔｒｏｌ  ｃｈａｎｎｅｌ  ＤＲＸ  ｏｐｅｒａｔｉｏｎ」を「ＣＥＬＬ  ＵＰＤＡＴＥメッセージ」に含めて送信するように構成されていてもよい。
【００３７】
なお、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない場合、送信部１３は、所定メッセージ（例えば、「ＣＥＬＬ  ＵＰＤＡＴＥメッセージ」）に所定の情報要素を含めずに送信するように構成されていてもよい。
【００３８】
以下、図３及び図４を参照して、本実施形態に係る移動局の動作について説明する。
【００３９】
図３に示すように、ステップＳ１０１において、移動局ＵＥは、無線アクセスネットワークから、報知情報（或いは、個別信号）を受信する。
【００４０】
ここで、移動局ＵＥは、報知情報（或いは、個別信号）に、情報要素「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」が含まれているか否かについての判定結果、すなわち、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているか否かについての判定結果を記憶しておく。
【００４１】
移動局ＵＥは、ステップＳ１０２において、「ＣＥＬＬ  ＵＰＤＡＴＥ手順」を開始すると、ステップＳ１０３において、無線アクセスネットワークに対して、「ＣＥＬＬ  ＵＰＤＡＴＥメッセージ」を送信する。
【００４２】
ここで、図４に示すように、移動局ＵＥは、報知情報（或いは、個別信号）に、情報要素「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」が含まれていると判定した場合には（ステップＳ２０１のＹＥＳ）、ステップＳ２０２において、上述した所定の情報要素を「ＣＥＬＬ  ＵＰＤＡＴＥメッセージ」に含める。
【００４３】
一方、移動局ＵＥは、報知情報（或いは、個別信号）に、情報要素「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」が含まれていないと判定した場合には（ステップＳ２０１のＮＯ）、ステップＳ２０３において、上述した所定の情報要素を「ＣＥＬＬ  ＵＰＤＡＴＥメッセージ」に含めない。
【００４４】
本実施形態に係る移動通信システムによれば、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している移動局ＵＥは、所定の情報要素を含めることなく「ＣＥＬＬ  ＵＰＤＡＴＥメッセージ」を生成することができるため、すなわち、「ＣＥＬＬ  ＵＰＤＡＴＥメッセージ」に含める情報要素を２０バイト以内に収めることができるため、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない無線アクセスネットワークにおいても、「ＣＥＬＬ  ＵＰＤＡＴＥメッセージ」を送信することができる。
【００４５】
また、本実施形態に係る移動通信システムによれば、全ての無線アクセスネットワークを「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応させることなく、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している移動局ＵＥ及び「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない移動局ＵＥを混在させることができるため、無線アクセスネットワークの改修コストの増加を回避することができる。
【００４６】
以上に述べた本実施形態の特徴は、以下のように表現されていてもよい。
【００４７】
本実施形態の第１の特徴は、移動局ＵＥであって、無線アクセスネットワークに対して、所定メッセージ（例えば、「ＣＥＬＬ  ＵＰＤＡＴＥメッセージ」）を送信するように構成されている送信部１３を具備しており、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ（共通制御チャネル用追加転送フォーマット）」に対応している場合にのみ、送信部１３は、所定メッセージに所定の情報要素（例えば、「ＨＳ-ＰＤＳＣＨ  ｉｎ  ＣＥＬＬ_ＦＡＣＨ」）を含めて送信するように構成されていることを要旨とする。
【００４８】
本実施形態の第１の特徴において、移動局ＵＥが、所定能力を具備している場合で、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応している場合にのみ、送信部１３は、かかる所定能力を具備していることを示す所定の情報要素を所定メッセージに含めて送信するように構成されていてもよい。
【００４９】
本実施形態の第１の特徴において、無線アクセスネットワークから報知情報を受信するように構成されている受信部１１と、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているか否かについて判定するように構成されている判定部１２を具備しており、判定部１２は、報知情報に、情報要素「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」（共通制御チャネル用追加転送フォーマットに対応していることを示す情報要素）が含まれている場合、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していると判定するように構成されていてもよい。
【００５０】
本実施形態の第１の特徴において、無線アクセスネットワークから個別信号を受信するように構成されている受信部１１と、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているか否かについて判定するように構成されている判定部１２を具備しており、判定部１２は、個別信号に、情報要素「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」が含まれている場合、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していると判定するように構成されていてもよい。
【００５１】
本実施形態の第１の特徴において、無線アクセスネットワークが対応しているリリース、或いは、ＰＬＭＮ（事業者情報）に基づいて、かかる無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応しているか否かについて判定するように構成されている判定部１２を具備していてもよい。
【００５２】
本実施形態の第１の特徴において、無線アクセスネットワークが、「Ａｄｄｉｔｉｏｎａｌ  Ｄｙｎａｍｉｃ  Ｔｒａｎｓｐｏｒｔ  Ｆｏｒｍａｔ  Ｉｎｆｏｒｍａｔｉｏｎ  ｆｏｒ  ＣＣＣＨ」に対応していない場合、送信部１３は、所定メッセージに所定の情報要素を含めずに送信するように構成されていてもよい。
【００５３】
なお、上述の移動局ＵＥや無線基地局ＮｏｄｅＢの動作は、ハードウェアによって実施されてもよいし、プロセッサによって実行されるソフトウェアモジュールによって実施されてもよいし、両者の組み合わせによって実施されてもよい。
【００５４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢ内に設けられていてもよい。また、かかる記憶媒体及びプロセッサは、ディスクリートコンポーネントとして移動局ＵＥや無線基地局ＮｏｄｅＢ内に設けられていてもよい。
【００５６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５７】
ＲＮＣ…無線回線制御局
ＮｏｄｅＢ…無線基地局
ＵＥ…移動局
１１…受信部
１２…判定部
１３…送信部
【図１】
0005524291.tif 000002
【図２】
0005524291.tif 000003
【図３】
0005524291.tif 000004
【図４】
0005524291.tif 000005